(57)【要約】      （修正有）【課題】扉全体を開ける回数を減らす事で、大量の冷気が流れ出してしまう回数を減らして、電気の使用量を減らすと同時に、冷蔵室内の食品に不必要な温度変化を与えないようにして食品を長持ちさせることができる冷蔵庫を提供する。【解決手段】現在普及している冷蔵庫の冷蔵室の扉１に、裏側に複数の収納容器４、５を固定した小扉２を設けて、その小扉２を開けるとスイッチ６で照明灯７が点灯して、冷蔵室内を照らして食品の在庫と不足が一目で確認できると共に、小扉２の裏側の複数の収納容器４、５に入っている食品が簡単に取り出せると共に、小扉２を開けた時にできる空間から、棚板８、９の上にある食品も容易に取り出せるようにした。【選択図】図２
0003198440.tif 000002
【実用新案登録請求の範囲】
【請求項１】
冷蔵室の扉に、裏側に複数の収納容器を固定した小扉をを設けて、その小扉を開けると
スイッチで照明灯が点灯して、冷蔵室内を照らして食品の在庫と不足が一目で確認できる
と共に、小扉の裏側の複数の収納容器に入っている食品が簡単に取り出せると共に、小扉
を開けた時にできる空間から、棚板の上にある食品も容易に取り出せるようにしたことを
特徴とする冷蔵庫。
【請求項２】
冷蔵室の扉が２枚の場合の、片方の扉に小扉を取り付けた、請求項１に記載の冷蔵庫。
【請求項３】
冷蔵室の扉が２枚の場合の、両方の扉に小扉を取り付けた、請求項１に記載の冷蔵庫。
【請求項４】
冷蔵室の奥に鏡を取り付けたことを特徴とする、請求項１に記載の冷蔵庫。
【請求項５】
冷蔵室の奥に鏡を取り付けたことを特徴とする、請求項２に記載の冷蔵庫。
【請求項６】
冷蔵室の奥に鏡を取り付けたことを特徴とする、請求項３に記載の冷蔵庫。
【考案の詳細な説明】
【技術分野】
【０００１】
本考案は、冷蔵室の扉に複数の収納容器を固定した小扉を取り付けて、冷蔵室内に何が
どのくらい入っているかを確認したり、小扉の裏側に設けられた収納容器内の食品や、小
扉を開けた時にできる空間から、棚板の上にある食品も容易に取り出せるようにして、扉
全体を開ける回数を減らす事で、大量の冷気が流れ出してしまう回数を減らして、電気の
使用量を減らすと同時に、冷蔵室内の食品に不必要な温度変化を与えないようにして食品
を長持ちさせることができる冷蔵庫に関するものである。
【背景技術】
【０００２】
現在の冷蔵庫には、色々な改良が加えられて来たので非常に使いやすくなり、しかも消
費電力もかなり少なくなってはいるが、しかし一般家庭の電力使用量の主たるものになっ
ている。
【０００３】
そのために、冷蔵庫内に複数の撮影装置を組み込んでおいて、冷蔵庫内の撮影装置で冷
蔵庫内の食品を撮影して、冷蔵庫の扉に表示端末を取り付けて、それに表示したり、携帯
電話などで確認できるようにした発明がされている。
【０００４】
しかし、この発明では冷蔵室の収容能力を減らしたり、冷蔵庫の価格上昇を招いたりす
るし、複数の撮影装置に使用する電気代も掛かるし、待機電力も必要になると言う欠点が
考えられる。
【先行技術文献】
【特許文献】
【０００５】
【特許文献１】特開2014-196850号公報
【考案の開示】
【考案が解決しようとする課題】
【０００６】
この考案が解決しようとする問題点は、冷蔵庫の使用電力を減らし、中の食品にできる
だけ温度変化の影響を与えないようにするために、冷蔵室の扉に小扉を設けて、大きな冷
蔵室の扉の開閉回数をできるだけ少なくすることである。
【０００７】
そのためには、食品の出し入れ以外には扉を開けたり閉めたりしないようにすることで
あるが、冷蔵庫内に撮影装置を複数取り付けて扉に取り付けた表示端末で冷蔵庫内を見る
ようにした場合には、冷蔵庫自体の構造が複雑になり価格上昇も招き、撮影装置も冷やす
事になったり、冷蔵室の収容能力を低下させ、撮影装置の待機電力も無視できない。
【０００８】
買い物に行って、何か買い忘れていないかと心配になって冷蔵庫の中に何が入っている
かを見ることを考えるような場合には、前以て買い物に出かける前に、携帯電話などで冷
蔵庫の中を撮影してから出かければ良いのである。
【課題を解決するための手段】
【０００９】
本考案は、冷蔵室の扉に、裏側に複数の収納容器を固定した小扉をを設けて、その小扉
を開けるとスイッチで照明灯が点灯して、冷蔵室内を照らして食品の在庫と不足が一目で
確認できると共に、小扉の裏側の複数の収納容器に入っている食品が簡単に取り出せると
共に、小扉を開けた時にできる空間から、棚板の上にある食品も容易に取り出せるように
した。
【００１０】
また、冷蔵室の奥に鏡を取り付けて、冷蔵室の奥の食品と、扉の裏側に設けられた複数
の収納容器に入っている食品も、小扉を開けた時に出来る空間から見ることが出来るよう
にして、更に扉全体の開閉回数を減らせるようにした。
【考案の効果】
【００１１】
本考案の冷蔵庫は、従来の冷蔵庫の冷蔵室の扉に、小さい小扉を取り付けるという一寸
した工夫を加えたもので、製造コストもあまり増えないし、消費者にとっても使い勝手が
良くなり、普段よく取り出す食品を小扉の周辺に置いておく習慣をつけておくと、わざわ
ざ扉全体をいちいち開けなくても済むので、大量の冷気が流れ出てしまうことが少なくな
り、電気代の節約にもなって便利である。
【００１２】
裏に収納容器を固定した小扉の開閉は、大きな扉全体の開閉に比べて冷蔵室の冷気の流
出が非常に少ないので、冷蔵室の温度変化をかなり減らせるので、冷蔵室の食品にもあま
り温度変化による悪影響を与えないので、冷蔵室の食品を長持ちさせる。
【００１３】
また、冷蔵室の中に撮影装置を取り付けた場合に比べて安価に製造できる上に、撮影装
置全体を冷やしたり、その待機電力も必要が無く収納スペースを減らすことも無い、また
、冷蔵室の奥に鏡が有るので、小扉を開くだけで冷蔵室の奥にある食品や扉の裏側にある
食品もすぐに見えるので、冷蔵室に入っている食品全体の在庫と不足が解って、扉全体を
開ける回数も減るので電気代の節約になる。
【考案を実施するための最良の形態】
【００１４】
冷蔵庫の消費電力を節約し、冷蔵室の収容能力を減らさず安価で使い勝手の良い冷蔵庫
にするために、冷蔵室の扉に、裏側に複数の収納容器を固定した小扉を設けて、その小扉
を開くとスイッチで照明灯が点灯して、冷蔵室内を照らして食品の在庫と不足が一目で確
認できると共に、小扉を開けた時にできる空間から、棚板の上にある食品も容易に取り出
せるようにし、冷蔵室の奥に鏡を取り付けて、冷蔵室の奥や扉の裏側に有る食品も一目で
見えるようにした。
【実施例１】
【００１５】
図１は、本考案の冷蔵庫の実施例１の小扉を閉じた正面図であって、１は扉、２は小扉
で、３は取っ手である。
図２は、本考案の冷蔵庫の実施例１の小扉を開いた正面図であって、１〜３は図１と同
じであって、４と５は収納容器、６はスイッチ、７は照明灯、８と９は棚板をそれぞれ表
し、１０と１１は冷蔵室の奥に取り付けた鏡をそれぞれ表す。
【００１６】
このように構成したので、この考案の実施例１の冷蔵庫は、普段よく使用する食品を収
納容器４と５の中に入れておけば、小扉２を開けるとその裏側に有るのですぐ取り出せて
便利であり、棚板８と９の上の、小扉を開けた時に出来る空間の位置に、普段よく使用す
る食品を置いておけば、小扉２を開けた時にスイッチ６が作動して、照明灯７が点灯して
冷蔵室内が明るくなるのですぐに取り出せる。
【００１７】
このように、普段よく使用する食品の取り出しは、小扉２の開閉だけで出来るし、この
時冷蔵室内もかなり見渡せるので、在庫の大体の確認に役立つ。このため、扉１の全体を
開閉する回数が減るので、この時に大量に冷蔵室内に溜まっている冷気を外部に流出する
回数も減る。
【００１８】
このため、この考案の実施例１の冷蔵庫を使用すると、冷蔵室の冷気が失われる量も少
なくなり、冷蔵室の急激な温度変化も少なくなるので、冷蔵してある食品も長持ちするし
電気代の節約にもなる、また、１０と１１の冷蔵室の奥に取り付けた鏡を見れば、扉１の
裏側に多数取り付けてある収納容器の中に入っている食品も見えて便利である。
【実施例２】
【００１９】
図面は無いが、本考案の冷蔵庫の実施例２の冷蔵庫は、２枚の扉が使用されている場合
に、その片方に実施例１の小扉２を設けたもので、３〜１１は実施例１と同じである。
【実施例３】
【００２０】
図面は無いが、本考案の冷蔵庫の実施例３の冷蔵庫は、２枚の扉が使用されている場合
に、その両方に実施例１の小扉２を設けたもので、３〜１１は実施例１と同じである。
【産業上の利用可能性】
【００２１】
本考案の冷蔵庫は、実施例１の冷蔵庫を使用する場合も、実施例２の冷蔵庫を使用する
場合も、実施例３の冷蔵庫を使用する場合も、多少の違いは有っても従来の冷蔵庫を使用
する場合よりも、普段よく使用する食品を取り出しやすくなり、冷蔵室の温度変化も少な
くなるので、中の食品が長持ちする。小扉２を開けるだけで、スイッチ６が作動して、照
明灯７が点灯して冷蔵室のほぼ全体近くが見られる上に、１０と１１の冷蔵室の奥に取り
付けた鏡を見れば、扉１の裏側に多数取り付けてある収納容器の中に入っている食品の在
庫と不足している食品が解って便利である。また、鏡は大きい鏡を１枚使用するようにす
れば、更に見やすさも増す。
【００２２】
製造方法には多少の工程が加わるのでほんの少し割高にはなるが、従来の冷蔵庫の隣に
並べて置くと、使い勝手の良さや、電気代の節約による省エネ効果や、冷蔵庫の長寿命化
で地球温暖化の防止に寄与する点も、冷蔵室の中に撮影装置を取り付けた場合のように冷
蔵室の容量が減ることも無いので販売し易い。
【図面の簡単な説明】
【００２３】
【図１】図１は、本考案の冷蔵庫の実施例１の、小扉を閉じた場合の正面図である。(実施例１)
【図２】図２は、本考案の冷蔵庫の実施例１の、小扉を開いた場合の正面図である。(実施例１)
【符号の説明】
【００２４】
１  扉
２  小扉
３  取っ手
４  収納容器
５  収納容器
６  スイッチ
７  照明灯
８  棚板
９  棚板
１０  鏡
１１  鏡
【図１】
0003198440.tif 000003
【図２】
0003198440.tif 000004